(57)【要約】【課題】順番待ちを登録した利用者の利用頻度に応じたサービスを提供する。【解決手段】施設における順番待ち組の順番待ちを管理する順番管理システムであって、施設における順番待ちの登録を受け付ける順番管理端末と、順番管理端末から、順番待ちの登録の情報を受信し、施設の順番待ち組の情報を管理する順番管理サーバと、順番待ちを登録した利用者が所持するユーザ端末と、を備え、順番管理サーバは、施設において順番待ちを登録した順番待ち組についての、利用者識別情報および順番待ち状況の情報を保持する順番待ちリストを記憶する記憶部と、ユーザ端末から、順番待ち状況の問い合わせを受け付けた場合に、ユーザ端末に当該順番待ち組の順番待ち状況の情報を提供する順番待ち情報提供部と、を備え、順番待ち情報提供部は、利用者識別情報によって特定される利用者の利用頻度に応じた付属情報を提供する。【選択図】図４
2019057224.tif 000002
【特許請求の範囲】
【請求項１】
施設における順番待ち組の順番待ちを管理する順番管理システムであって、
前記施設における順番待ちの登録を受け付ける順番管理端末と、
前記順番管理端末から、前記順番待ちの登録の情報を受信し、前記施設の順番待ち組の情報を管理する順番管理サーバと、
順番待ちを登録した利用者が所持するユーザ端末と、を備え、
前記順番管理サーバは、
前記施設において順番待ちを登録した順番待ち組についての、利用者識別情報および順番待ち状況の情報を保持する順番待ちリストを記憶する記憶部と、
前記ユーザ端末から、順番待ち状況の問い合わせを受け付けた場合に、前記ユーザ端末に当該順番待ち組の順番待ち状況の情報を提供する順番待ち情報提供部と、を備え、
前記順番待ち情報提供部は、
前記利用者識別情報によって特定される利用者の利用頻度に応じた付属情報を提供する、順番管理システム。
【請求項２】
前記順番待ち情報提供部は、
前記ユーザ端末から前記問い合わせを受けた際、前記順番待ちリストに記録されている過去の順番待ちのレコードのうち、利用者識別情報が問い合わせを受けた順番待ち組と一致するレコードの数に基づいて、当該順番待ち組の利用回数を算出し、利用回数に応じた付属情報を提供する、請求項１に記載の順番管理システム。
【請求項３】
前記利用者識別情報は、順番待ちの登録の際、前記順番管理端末を介して登録された情報である、請求項１または２に記載の順番管理システム。
【請求項４】
前記利用者識別情報は、前記順番待ち情報提供部が前記ユーザ端末から前記問い合わせを受けた際、前記ユーザ端末から取得するクッキー値である、請求項１または２に記載の順番管理システム。
【請求項５】
前記利用者識別情報は、複数種類の利用者識別情報を含み、
前記順番待ち情報提供部は、各々の利用者識別情報について、問い合わせを受けた順番待ち組の利用者識別情報と一致するレコード数を取得し、最も多い数を当該順番待ち組の利用回数とする、請求項１から４のいずれか１項に記載の順番管理システム。
【請求項６】
施設における利用者の順番待ちを管理する順番管理装置であって、
前記施設において順番待ちを登録した順番待ち組についての、利用者識別情報および順番待ち状況の情報を保持する順番待ちリストを記憶する記憶部と、
順番待ちを登録した利用者が所持するユーザ端末から、順番待ち状況の問い合わせを受け付けた場合に、前記ユーザ端末に当該順番待ち組の順番待ち状況の情報を提供する順番待ち情報提供部と、を備え、
前記順番待ち情報提供部は、
前記利用者識別情報によって特定される利用者の利用頻度に応じた付属情報を提供する、順番管理装置。
【請求項７】
施設における順番待ちを管理するコンピュータを、
前記施設において順番待ちを登録した順番待ち組についての、利用者識別情報および順番待ち状況の情報を保持する順番待ちリストを記憶する記憶部と、
順番待ちを登録した利用者が所持するユーザ端末から、順番待ち状況の問い合わせを受け付けた場合に、前記ユーザ端末に当該順番待ち組の順番待ち状況の情報を提供する順番待ち情報提供部と、して機能させ、
前記順番待ち情報提供部は、
前記利用者識別情報によって特定される利用者の利用頻度に応じた付属情報を提供する、
プログラム。
【発明の詳細な説明】
【技術分野】
【０００１】
本発明は、順番管理システム、順番管理装置、およびプログラムに関する。
【背景技術】
【０００２】
従来、レストランや店舗、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から、施設の混雑状況の確認や、順番待ち予約の申し込みをできることが記載されている。また、案内の順番が近づいたら電話やメールで通知することが記載されている。
【先行技術文献】
【特許文献】
【０００４】
【特許文献１】特開２００５−５０００２号公報
【発明の概要】
【発明が解決しようとする課題】
【０００５】
従来の順番管理システムにおいては、順番待ちの登録時から順番到来時までの間に、利用者毎の施設の利用頻度に応じたサービスなどは行っていなかった。
【０００６】
本発明は、以上説明した事情を鑑みてなされたものであり、順番待ちを登録した利用者の利用頻度に応じたサービスを提供することを目的の一つとする。
【課題を解決するための手段】
【０００７】
本発明の一実施形態に係る順番管理システムは、施設における順番待ち組の順番待ちを管理する順番管理システムであって、
前記施設における順番待ちの登録を受け付ける順番管理端末と、
前記順番管理端末から、前記順番待ちの登録の情報を受信し、前記施設の順番待ち組の情報を管理する順番管理サーバと、
順番待ちを登録した利用者が所持するユーザ端末と、を備え、
前記順番管理サーバは、
前記施設において順番待ちを登録した順番待ち組についての、利用者識別情報および順番待ち状況の情報を保持する順番待ちリストを記憶する記憶部と、
前記ユーザ端末から、順番待ち状況の問い合わせを受け付けた場合に、前記ユーザ端末に当該順番待ち組の順番待ち状況の情報を提供する順番待ち情報提供部と、を備え、
前記順番待ち情報提供部は、
前記利用者識別情報によって特定される利用者の利用頻度に応じた付属情報を提供するものである。
【０００８】
また、前記順番待ち情報提供部は、前記ユーザ端末から前記問い合わせを受けた際、前記順番待ちリストに記録されている過去の順番待ちのレコードのうち、利用者識別情報が問い合わせを受けた順番待ち組と一致するレコードの数に基づいて、当該順番待ち組の利用回数を算出し、利用回数に応じた付属情報を提供するようにしてもよい。
【０００９】
前記利用者識別情報は、順番待ちの登録の際、前記順番管理端末を介して登録された情報とすることができる。
【００１０】
前記利用者識別情報は、前記順番待ち情報提供部が前記ユーザ端末から前記問い合わせを受けた際、前記ユーザ端末から取得するクッキー値としてもよい。
【００１１】
前記利用者識別情報は、複数種類の利用者識別情報を含み、前記順番待ち情報提供部は、各々の利用者識別情報について、問い合わせを受けた順番待ち組の利用者識別情報と一致するレコード数を取得し、最も多い数を当該順番待ち組の利用回数としてもよい。
【発明の効果】
【００１２】
本発明によれば、順番待ちを登録した利用者の利用頻度に応じたサービスを提供することができる。
【図面の簡単な説明】
【００１３】
【図１】本発明の実施形態に係る順番管理システム１０００の概略構成を示す図。
【図２】順番管理端末２００の主要構成を示すブロック図。
【図３】本発明の実施形態に係る順番管理システム１０００における順番待ちの受付登録処理のフローチャート。
【図４】本発明の実施形態に係る順番管理システム１０００における順番待ち状況の問い合わせを受けた時のシーケンス図。
【図５】本発明の実施形態に係るユーザ端末３００に表示される順番待ち状況表示画面を例示する図。
【発明を実施するための形態】
【００１４】
以下、本発明の実施形態について図面を参照しつつ詳細に説明する。なお、同一の要素には同一の符号を付し、重複する説明を省略する。
【００１５】
本実施形態では、レストランＡにおける順番待ち管理の例について説明するが、その他、アミューズメント施設、ショッピングモール、デパート、病院、役所、修理専門店、銀行、旅行代理店など、施設利用者の順番待ちの管理を行うあらゆる施設に適用できる。
【００１６】
図１は、本実施形態に係る順番管理システム１０００の概略構成を示す図である。図１に示すように、順番管理システム１０００は、管理センター等に設置された順番管理サーバ（順番管理装置）１００と、店舗（施設）の入口付近などに設置された順番管理端末２００、店舗に来店する利用者が所有するユーザ端末３００を含んでいる。順番管理サーバ１００は、順番管理端末２００およびユーザ端末３００と通信ネットワークＮを介して接続されている。
【００１７】
順番管理サーバ１００は、順番管理端末２００を介して登録される順番待ちを施設毎に管理する。図１の例では、１つの施設の順番管理端末２００のみが図示されているが、順番管理サーバ１００は、実際には複数の施設に設置されている順番管理端末２００と通信ネットワークで接続され、各施設の順番待ちを管理している。順番管理サーバ１００は、汎用的なコンピュータによって構成され、そのコンピュータにおいて所定のサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１８】
順番管理サーバ１００は、施設ごとに順番管理端末２００を管理するための管理データベース（記憶部）１１０と、プロセッサ（順番待ち情報提供部）１２０と、を備えている。管理データベース１１０は、クライアント管理テーブルＴＡ１と、ステータス管理テーブルＴＡ２を備えている。
【００１９】
クライアント管理テーブルＴＡ１には、施設毎に、順番管理端末２００に対して付与されている固有のＩＤとパスコード（アカウント）が登録されている。例えば、「レストランＡ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用してもよいが、例えば所定の条件に従い、複数のＩＤとパスワードを使い分けるようにしてもよい。
【００２０】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、人数「５」、ステータス「呼出中」、連絡先メールアドレス「abc@xyz.co.jp」等の情報が含まれている。その他、氏名、電話番号などの情報も含むことができる。
【００２１】
ステータスには、順番到来前の状態である「待ち中」、順番が来たことを知らせた状態である「呼出中」、順番が来た者を実際に座席等に案内した状態である「案内済」、さらに順番待ちをキャンセルした状態である「取消済」等が含まれる。ステータスとしてどのような項目を設定するかは各施設の管理者等が適宜設定し、変更も可能となっている。
【００２２】
なお、順番待ちリストに含める情報は、各施設の管理者等が適宜設定し、変更も可能となっている。順番待ちリストのレコードの内容は、順番管理端末２００から送信される順番待ちリストへの新規登録情報、またはステータスの更新情報（詳細は後述）に基づいて更新される。
【００２３】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００やユーザ端末３００と連携して順番待ちを管理するためのコンピュータプログラム（順番管理アプリケーション）も実行する。
【００２４】
通信ネットワークＮは、順番管理サーバ１００と順番管理端末２００およびユーザ端末３００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２５】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。
【００２６】
図２は、順番管理端末２００の主要構成を示すブロック図である。順番管理端末２００は、プロセッサ２１０と、入力装置２１５と、表示装置２１６と、通信インタフェース２２０と、記憶資源２３０を備える。順番管理端末２００は、施設の利用者や従業者が直接タッチパネルなどの入力装置２１５を操作することで、順番待ちリストへの登録や更新等の入力を受け付ける。例えば、施設の従業者は順番待ちリストに新たに順番待ちの登録をするための入力や、順番待ちリストに登録されているステータスを更新するための入力を行う。
【００２７】
プロセッサ２１０は、算術演算、論理演算、ビット演算等を処理する算術論理演算ユニット（ＣＰＵなど）および各種レジスタから構成され、記憶資源２３０に格納されている各種プログラムを実行することで順番管理端末２００の各部を中枢的に制御する。各種レジスタは、例えば、プログラムカウンタ、データレジスタ、命令レジスタ、汎用レジスタ等である。
【００２８】
入力装置２１５は、順番待ちリストへの受付や順番待ちリストからの消込み等の入力を受け付けるための各種操作ボタンやタッチパネル２１５ａを備えている。
【００２９】
表示装置２１６は、順番待ちリストや、受付画面やステータス管理画面を表示するための装置であり、例えば液晶ディスプレイにより構成される。
【００３０】
通信インタフェース２２０は、通信ネットワークＮに接続し、通信ネットワークＮを介して他の装置と通信をするためのハードウェアモジュールである。通信インタフェース２２０は、例えば、ＩＳＤＮモデム、ＡＤＳＬモデム、ケーブルモデム、光モデム、ソフトモデム等の変調復調装置である。
【００３１】
記憶資源２３０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源２３０は、複数の物理デバイスを１つの論理デバイスにマッピングして構築してもよいし、１つの物理デバイスを複数の論理デバイスにマッピングして構築してもよい。
【００３２】
記憶資源２３０には、オペレーティングシステムプログラム、ドライバプログラム、各種データ等が格納される。ドライバプログラムとしては、例えば、通信インタフェース２２０を制御するための通信インタフェースドライバプログラム等がある。また、記憶資源２３０には、これら各種プログラムや各種データのほか、プロセッサ２１０が実行することにより、順番管理サーバ１００やユーザ端末３００と連携して順番待ちを管理するためのコンピュータプログラム（順番管理アプリケーション）ＡＰ１が記憶されている。
【００３３】
ユーザ端末３００は、施設の利用者が所有する、スマートフォン、携帯電話、タブレット端末、パーソナルコンピュータ（ＰＣ）、ノートＰＣ、ウェアラブルデバイスなどの端末である。ユーザ端末３００は、プロセッサ３１０、各種操作ボタンやタッチパネルなどの入力装置３２０、液晶ディスプレイなどの表示装置３３０、通信ネットワークＮに接続するための通信インタフェース３４０、ディスクドライブまたは半導体メモリ（ＲＯＭ、ＲＡＭなど）などの記憶資源３５０を備えている。記憶資源３５０には、これら各種プログラムや各種データのほか、順番管理サーバ１００と連携して順番待ちを管理するためのコンピュータプログラム（専用アプリ）等が記憶されている。利用者は、ユーザ端末３００にインストールされている専用アプリやウェブブラウザを介して、各施設への順番待ちを登録したり、順番待ち状況を確認したりすることができる。
【００３４】
（順番待ちの受付登録）
まず、順番管理サーバ１００による順番待ちの受付登録処理について図３のフローチャートを用いて説明する。施設（ここでは、レストランＡ）に来訪した利用者が、施設に設置された順番管理端末２００を操作して受付登録を行う場合を例に説明する。
【００３５】
まず、順番管理端末２００は通信インタフェース２２０を介して、順番管理サーバ１００からステータス管理テーブルＴＡ２に登録されている順番待ちリストに含まれる情報を受信する（ステップＳ３１）。
【００３６】
次に、順番管理端末２００は、順番待ちの受付をするための受付画面を表示装置２１６に表示させる（ステップＳ３２）。受付画面には、例えば、順番待ちリストの情報（順番待ちをしている者の受付番号と現在のステータス情報）が、受付をした順番に時系列に並べられた一覧が表示される。さらに、現在順番待ちをしている待ち組数なども表示される。
【００３７】
表示された受付画面に対して利用者が所定の操作入力を行い、順番待ちの受付に必要な情報（利用人数、呼出（電話又はメール）の希望の有無、呼出時の連絡先の電話番号またはメールアドレス等）の入力が完了すると（ステップＳ３３：ＹＥＳ）、順番管理端末２００は受付完了画面を表示する（ステップＳ３４）。受付完了画面には、受付番号（待ち番号）や、現時点での予想待ち時間等が表示される。また、順番券を受け取るよう促すメッセージが表示され、利用者は、順番管理端末２００に接続されたプリンタから印刷される順番券を受け取ることができる。
【００３８】
順番券には、受付番号と対応付けられた二次元コードが印刷されている。利用者が自身のユーザ端末３００を利用して順番券に印刷された二次元コードを読み取ることで、ユーザ端末３００の表示装置に、利用者の現在の順番待ち状況（現状の待ち組数や予想待ち時間など）が表示される。また、利用者が、二次元コードを読み込むことによって表示される案内にしたがって電話番号やメールアドレスを入力することにより、順番が到来した際に電話またはメールによるメッセージを受信したり、順番が近づいたときにリマインドメッセージを受信したりすることができる。
【００３９】
確定した新規登録情報は、順番管理端末２００から通信ネットワークＮを介して順番管理サーバ１００に送信される（ステップＳ３５）。順番管理サーバ１００は、ある施設から新規登録情報を受信すると、受信した新規登録情報に基づいて、その施設の順番待ちリストに順番待ちを１組新たに追加する処理を行い、ステータス管理テーブルＴＡ２を更新する（ステップＳ３６）。
【００４０】
なお、利用者が自身のユーザ端末３００から受付登録を行うこともできる。この場合、ユーザ端末３００で専用アプリやウェブサイトを介して利用したい施設（レストランＡ）を選択し、当該施設用の受付画面を表示させる。その後は、順番管理端末２００を用いて登録する場合と同様の手順で行うことができる。ユーザ端末３００を利用すれば、施設へ実際に行く前に自宅や外出先などから遠隔で受付登録を行うことができる。
【００４１】
（順番待ちリストの更新）
各施設の順番待ちリストの各レコードの内容は、施設の従業者が順番管理端末２００を用いて「取消」、「変更」、「呼出」、「案内」等の操作を行った際に更新される。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせた状態であることを意味し、「案内」は、順番が来た組に対して実際に対応を開始した状態であることを意味する。
【００４２】
従業者は、順番管理端末２００に表示された順番待ちリストの中から、更新対象の順番待ち組を選択し、選択した順番待ち組に対して「呼出」、「取消」、「変更」のいずれかの更新操作を行う。更新対象の順番待ち組を特定する情報（例えば受付番号「１」）と更新操作の情報（例えば「呼出」）は、順番管理端末２００から通信ネットワークＮを介して順番管理サーバ１００にアップロードされる。順番管理サーバ１００は、受信した情報に基づき、当該施設の順番待ちリストを更新する。例えば、受付番号「１」に対して「呼出」操作を行った場合には、受付番号「１」の順番待ち組のステータスが「呼出中」に更新される。
【００４３】
（順番待ち状況の問い合わせと広告表示）
次に、順番待ちをしている利用者のユーザ端末３００から、順番待ち状況の問い合わせを受けた時の処理について、図４のシーケンス図を用いて説明する。
【００４４】
利用者が、ユーザ端末３００で順番券に印刷された二次元コードを読み取ると、利用者の受付番号の情報が順番管理サーバ１００に送信される（ステップＳ１０１）。
【００４５】
順番管理サーバ１００は、受信した受付番号に対応する順番待ちリストのレコードを参照し、利用者識別情報を取得する（ステップＳ１０２）。ここでは、利用者識別情報として連絡先のメールアドレスを使用する。
【００４６】
順番管理サーバ１００は、取得した利用者識別情報（メールアドレス）と同一のメールアドレスが登録されている過去のレコードを順番待ちリストから抽出する（ステップＳ１０３）。
【００４７】
順番管理サーバ１００は、抽出されたレコードの数を、当該順番待ち組の施設の利用回数として算出する（ステップＳ１０４）。
【００４８】
順番管理サーバ１００は、当該順番待ち組の現在の順番待ち状況（現状の待ち組数や予想待ち時間など）と、利用回数に応じた広告情報（付属情報）をユーザ端末３００に送信する（ステップＳ１０５）。例えば、初めての利用（利用回数０回）の場合や、利用回数が１回であれば、店の人気商品やおすすめ商品など、比較的オーソドックスな情報を中心とした広告情報を送信するようにしてもよい。また、例えば２回以上であれば、常連向けの商品の情報などを提供するようにしてもよい。また、利用回数に応じてクーポンを発行してもよい。
【００４９】
ユーザ端末３００は、図５に示すように、表示装置２１６に、受信した順番待ち状況と、広告情報を表示する（ステップＳ１０６）。
【００５０】
なお、上記の例では、利用者識別情報として、順番待ちの受付登録時に登録されたメールアドレスを使用しているが、電話番号等、利用者を特定できるあらゆる情報を使用することができる。
【００５１】
また、ユーザ端末３００が順番券の二次元コードを読み取り、順番管理サーバ１００にアクセスした際、ユーザ端末３００からクッキー値を取得し、利用者識別情報として使用するようにしてもよい。取得したクッキー値は、順番待ちリストに受付番号に紐付けて登録しておく。これにより、過去のレコードに対応して同一のクッキー値が記録されている場合には、同一の利用者による順番待ちのレコードであると判断できる。
【００５２】
また、複数の利用者識別情報（例えば、メールアドレス、電話番号、端末のクッキー値のうちのいずれか２つ以上。）についてそれぞれ利用者識別情報が一致するレコードの数を取得し、最も多い数を利用回数とするようにしてもよい。
【００５３】
また、利用回数をカウントするのは、施設単位であってもよいし、同じ商業施設（アミューズメント施設、ショッピングモール等）内の店舗や同じグループに属する施設の単位でカウントするようにしてもよい。具体的には、利用回数を算出する際、同じ商業施設内の他の店舗や同じグループに属する他の施設の順番待ちリストも参照し、それぞれの施設の利用回数を算出して合算する。
【００５４】
以上のように、本実施形態によれば、順番待ちを登録している利用者がユーザ端末３００を介して順番待ち状況を問い合わせると、順番管理サーバ１００は、当該順番待ち組の順番待ち状況と共に、当該順番待ち組の利用回数に応じた広告情報等を提供するようにした。これにより、順番待ちを登録した利用者の利用頻度に応じたサービスを提供することができる。具体的には、順番待ちリストの過去のレコードの中から、登録されているメールアドレスや電話番号が同一のレコードを抽出し、利用回数を算出することができる。また、ユーザ端末３００から問い合わせを受けた際にクッキー値を取得し、順番待ちリストの過去のレコードの中から、同じクッキー値が記録されているレコードを抽出し、利用回数を算出することもできる。
【００５５】
また、複数の利用者識別情報について、問い合わせを受けた順番待ち組の利用者識別情報と一致するレコードの数を取得し、最も多い数を利用回数とすることにより、より正確な利用回数を取得することができる。
【００５６】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００５７】
１０００…順番管理システム
１００…順番管理サーバ
１１０…管理データベース
１２０…プロセッサ
２００…順番管理端末
２１０…プロセッサ
２１５…入力装置
２１５ａ…タッチパネル
２１６…表示装置
２２０…通信インタフェース
２３０…記憶資源
３００…ユーザ端末
３１０…プロセッサ
３２０…入力装置
３３０…表示装置
３４０…通信インタフェース
３５０…記憶資源
ＴＡ１…クライアント管理テーブル
ＴＡ２…ステータス管理テーブル
Ｎ…通信ネットワーク
ＡＰ１…順番管理アプリケーション
【図１】
2019057224.tif 000003
【図２】
2019057224.tif 000004
【図３】
2019057224.tif 000005
【図４】
2019057224.tif 000006
【図５】
2019057224.tif 000007
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
施設における順番待ち組の順番待ちを管理する順番管理システムであって、
前記施設における順番待ちの登録を受け付ける順番管理端末と、
前記順番管理端末から、前記順番待ちの登録の情報を受信し、前記施設の順番待ち組の情報を管理する順番管理サーバと、
順番待ちを登録した利用者が所持するユーザ端末と、を備え、
前記順番管理サーバは、
前記施設において順番待ちを登録した順番待ち組についての、利用者識別情報および順番待ち状況の情報を保持する順番待ちリストを記憶する記憶部と、
前記ユーザ端末から、順番待ち状況の問い合わせを受け付けた場合に、前記ユーザ端末に当該順番待ち組の順番待ち状況の情報を提供する順番待ち情報提供部と、を備え、
前記順番待ち情報提供部は、
前記ユーザ端末から前記問い合わせを受けた際、前記順番待ちリストに記録されている過去の順番待ちのレコードのうち、利用者識別情報が問い合わせを受けた順番待ち組と一致するレコードの数に基づいて、当該順番待ち組の利用回数を算出し、利用回数に応じた付属情報を提供する、順番管理システム。
【請求項２】
前記利用者識別情報は、順番待ちの登録の際、前記順番管理端末を介して登録された情報である、請求項１に記載の順番管理システム。
【請求項３】
前記利用者識別情報は、前記順番待ち情報提供部が前記ユーザ端末から前記問い合わせを受けた際、前記ユーザ端末から取得するクッキー値である、請求項１に記載の順番管理システム。
【請求項４】
前記利用者識別情報は、複数種類の利用者識別情報を含み、
前記順番待ち情報提供部は、各々の利用者識別情報について、問い合わせを受けた順番待ち組の利用者識別情報と一致するレコード数を取得し、最も多い数を当該順番待ち組の利用回数とし、利用回数に応じた付属情報を提供する、請求項１から３のいずれか１項に記載の順番管理システム。
【請求項５】
施設における利用者の順番待ちを管理する順番管理装置であって、
前記施設において順番待ちを登録した順番待ち組についての、利用者識別情報および順番待ち状況の情報を保持する順番待ちリストを記憶する記憶部と、
順番待ちを登録した利用者が所持するユーザ端末から、順番待ち状況の問い合わせを受け付けた場合に、前記ユーザ端末に当該順番待ち組の順番待ち状況の情報を提供する順番待ち情報提供部と、を備え、
前記順番待ち情報提供部は、
前記ユーザ端末から前記問い合わせを受けた際、前記順番待ちリストに記録されている過去の順番待ちのレコードのうち、利用者識別情報が問い合わせを受けた順番待ち組と一致するレコードの数に基づいて、当該順番待ち組の利用回数を算出し、利用回数に応じた付属情報を提供する、順番管理装置。
【請求項６】
施設における順番待ちを管理するコンピュータを、
前記施設において順番待ちを登録した順番待ち組についての、利用者識別情報および順番待ち状況の情報を保持する順番待ちリストを記憶する記憶部と、
順番待ちを登録した利用者が所持するユーザ端末から、順番待ち状況の問い合わせを受け付けた場合に、前記ユーザ端末に当該順番待ち組の順番待ち状況の情報を提供する順番待ち情報提供部と、して機能させ、
前記順番待ち情報提供部は、
前記ユーザ端末から前記問い合わせを受けた際、前記順番待ちリストに記録されている過去の順番待ちのレコードのうち、利用者識別情報が問い合わせを受けた順番待ち組と一致するレコードの数に基づいて、当該順番待ち組の利用回数を算出し、利用回数に応じた付属情報を提供する、プログラム。